(57)【要約】【課題】  金属製や樹脂製の可撓管と給水配管との接続口とを接続する管継手について小型化や軽量化を図り、且つ作業者の負担を軽減可能な消火設備用管継手を提供する。【解決手段】  消火設備配管に設置された牝ネジ１１と接続される牡ネジ２１を備えた中空状の牡継手２２と、一端側はスプリンクラーヘッドＳと接続され他端側が牡継手２２に挿通された可撓管Ｆとから成り、可撓管Ｆの他端側に直管部２０を有しており、直管部２０の先端は牡継手２２から突き出た突出部２Ａとなっており、突出部２Ａにはシール部材４２、４３が設置され、牡継手２２とシール部材４２、４３の間に止め輪２５を設置した消火設備用管継手である。【選択図】    図２
2018183578.tif 000002
【特許請求の範囲】
【請求項１】
消火設備配管に設置された牝ネジと接続される牡ネジを備えた中空状の牡継手と、
一端側はスプリンクラーヘッドと接続され他端側が牡継手に挿通された可撓管とから成り、
可撓管の他端側に直管部を有しており、
直管部の先端は牡継手から突き出た突出部となっており、
突出部にはシール部材が設置され、
牡継手とシール部材の間に止め輪を設置したことを特徴とする消火設備用管継手。
【請求項２】
牡継手の内側には段が設置されており、段よりも牡ネジ側の内周径は、可撓管が挿通された側の内周径よりも小さい請求項１記載の消火設備用管継手。
【請求項３】
牡継手の段と係合可能な蛇腹部を可撓管に設けた請求項１または請求項２記載の消火設備用管継手。
【請求項４】
牡継手の段と係合可能なフランジ部を直管部または可撓管に設置した請求項１または請求項２記載の消火設備用管継手。
【請求項５】
可撓管は、直管部と一端側の間に蛇腹部を有しており、蛇腹部の外径は直管部の外径よりも大径である請求項１〜請求項４何れか１項記載の消火設備用管継手。
【請求項６】
牡ネジが給水配管側の牝ネジと接続した状態において、フランジ部と段の端面との間には隙間が設けられている請求項１〜請求項５何れか１項記載の消火設備用管継手。
【請求項７】
牡継手の外部に配置された可撓管の蛇腹部には、ストッパーが設置されている請求項１〜請求項６何れか１項記載の消火設備用管継手。
【請求項８】
牡ネジが給水配管側の牝ネジと接続した状態において、牡継手の可撓管が挿通された側の端とストッパーとの間には隙間が設けられている請求項７記載の消火設備用管継手。
【請求項９】
牡ネジが給水配管側の牝ネジと接続した状態において、牡継手の可撓管が挿通された側の端と可撓管の蛇腹部との間には隙間が設けられている請求項１〜請求項８何れか１項記載の消火設備用管継手。
【請求項１０】
突出部には段が形成されており、段より先端側の外周径は牡ネジの内側の直管部の外周径よりも小径となっている請求項１〜請求項９何れか１項記載の消火設備用管継手。
【請求項１１】
牡継手には止め輪と接触する箇所に斜面が設置されている請求項１〜請求項１０何れか１項記載の消火設備用管継手。
【請求項１２】
可撓管の一端側には、スプリンクラーヘッドが接続される牝ネジが設けられており、牝ネジの奥側に止水部材が設置されている請求項１〜１１何れか１項記載の消火設備用管継手。
【請求項１３】
止水部材はスプリンクラーヘッドの牡ネジの端面と接触する請求項１２記載の消火設備用管継手。
【請求項１４】
止水部材はスプリンクラーヘッドの牡ネジの内側に設けられた内周面と接触する請求項１２記載の消火設備用管継手。
【発明の詳細な説明】
【技術分野】
【０００１】
本発明は、消火設備用の管継手に関するものである。
【背景技術】
【０００２】
スプリンクラー設備はビルやショッピングセンター等に設置されており、火災を消すための水を貯蔵する貯水槽と、水を散布するスプリンクラーヘッド、貯水槽とスプリンクラーヘッドを接続する消火設備配管、貯水槽の水をスプリンクラーヘッドへ送水するためのポンプ等の設備から構成されている。消火設備配管の内部には加圧された水が充填されている。
【０００３】
スプリンクラーヘッドは主に天井面や、倉庫等の天井が無い建物では屋根の直下等の高い位置に設置される。そのため貯水槽からスプリンクラーヘッドに水を送る消火設備配管は室内の高い位置に敷設されるので、作業者は高所作業車に乗って高い位置に移動して、尚且つ上を向きながら配管部材を接続する作業を行っている。ゆえに消火設備配管の施工は足元が不安定な高所での作業となっており作業者の負担が大きいものであった。
【０００４】
消火設備配管は、貯水槽へと続いている主配管を多口継手により分岐させ、金属製のフレキシブル配管や樹脂管等の可撓管を介してスプリンクラーヘッドと接続されている。可撓管と多口継手の接続部の口径サイズは１６Ａ〜２５Ａが主に用いられ、接続構造は管用テーパーネジ構造となっており、ネジ部にシールテープを巻いた後、所定のトルクをかけて螺合させることでネジ山の間にシールテープが食い込んでシール性が得られる。
【０００５】
しかしながら上記の作業について、作業に不慣れな者が行うと漏れが生じてしまうことがある。漏れた箇所は作業のやり直しとなり作業効率が低下する要因となっていた。また上記の作業において、所定のトルクをかけて螺合させるために専用工具を用いる必要があった。より具体的に説明すると、専用工具として金属製のレンチやスパナが用いられており、この金属製の重い工具を使用して頭上に設置された多口継手へ可撓管を接続する作業は、作業者の負担が大きいものであった。
【０００６】
図７に示す特許文献１には、エルボ継手３０の開口部３０ａに、樹脂製の消火配水管３が融着用短管３１と押輪３３を介して接続する管継手の構成が開示されている。
【先行技術文献】
【特許文献】
【０００７】
【特許文献１】特開２００１−１０４５０７号公報
【発明の概要】
【発明が解決しようとする課題】
【０００８】
図７の管継手は、消火配水管３が融着用短管３１の内部に挿通して接続され、さらに融着用短管３１は押輪３３の内部に挿通されている。押輪３３の外周に刻設された牡ネジ３２とエルボ継手３０の開口部３０ａに設置された牝ネジ３４を螺合させており、消火配水管３の外径に対して、開口部３０ａの内径が大径となっており、設置のために高さ方向のスペースを要するものであった。
【０００９】
また、押輪３３の牡ネジ３２をエルボ継手３０の牝ネジに締付けることで融着用短管３１の先端面をエルボ継手の座面に押圧する構造であり、融着用短管３１の先端外径は牡ネジ３２の外径と略同じとなっている。ネジの締付け後において融着用短管３１は押輪３３の先端とエルボ継手３０の座面に挟持されるので融着用短管３１は軸周りに回転できない。
【００１０】
そこで本発明では、上記問題に鑑み、金属製や樹脂製の可撓管と給水配管との接続口とを接続する管継手について小型化や軽量化を図り、且つ作業者の負担を軽減可能な消火設備用管継手の提供を目的とする。
【課題を解決するための手段】
【００１１】
上記の目的を達成するために、本発明は以下の消火設備用管継手を提供する。
すなわち、消火設備配管に設置された牝ネジと接続される牡ネジを備えた中空状の牡継手と、一端側はスプリンクラーヘッドと接続され他端側が牡継手に挿通された可撓管とから成り、可撓管の他端側に直管部を有しており、直管部の先端は牡継手から突き出た突出部となっており、突出部にはシール部材が設置され、牡継手とシール部材の間に止め輪を設置した消火設備用管継手である。
【００１２】
これによれば、可撓管と牡継手の間に設けた直管部により、可撓管に対して牡継手が軸まわりに空回りすることができる。さらに直管部の外径は牡継手の内径よりも小径であるので、牡ネジが給水配管側の牝ネジに螺合した状態においても直管部および可撓管が軸周りに回転可能となっている。
【００１３】
さらに、直管部の先端は牡継手から突き出た突出部となっており、突出部の側面にシール部材を設置したことで、牡継手の外径を小さく抑えることができる。具体的に説明すると、シール部材が牡継手の牡ネジよりも先端側に配置されており、これに対応して給水配管側の構造は、管端に牝ネジが設置され、牝ネジの奥にシール面が配置される。このようにシール部を側面に設けてネジ部と直列状に配置することで牡継手の外径を小さく抑えることができる。
【００１４】
また、直管部が牡継手から抜け出るのを防止するために牡継手とシール部材の間に止め輪を設置した。これにより直管部の突出部が牡継手から突き出た状態を維持できる。さらに、前述の図７に示す構成では消火配水管３側から押輪３３を挿通させているが、本願では牡継手を直管部の先端側から挿通させた後に止め輪を設置する構成としたので、製造時または施工の際の手間を削減することができる。
【００１５】
牡継手の内側には段が設置されており、段よりも牡ネジ側の内周径を、可撓管が挿通された側の内周径よりも小さく構成した。さらに、牡継手の段と係合可能な蛇腹部を可撓管に設けた。あるいは、牡継手の段と係合可能なフランジ部を直管部または可撓管に直管部に設置した。これにより蛇腹部やフランジ部が牡継手の内側の段に係止されるので牡継手が可撓管側に移動することを防止できる。尚、可撓管は直管部と一端側の間に蛇腹部を有しており、可撓管の蛇腹部は直管部の外径よりも大径となっている。
【００１６】
上記のように牡継手の可撓管側への移動を防止する構成として、牡継手の外部に配置された可撓管の蛇腹部にストッパーを設置することができる。ストッパーはＣ字形状をしており、蛇腹部の凹部に内縁を係止させて設置可能である。ストッパーの外径は牡継手の内周径よりも大きく、牡継手の端面に係止可能となっている。
【発明の効果】
【００１７】
以上、説明したように、本発明によれば消火設備配管に接続される継手を小型・軽量化でき、さらに作業者の負担を軽減することができる。
【図面の簡単な説明】
【００１８】
【図１】消火設備配管の設置状態を示す図面。
【図２】第１実施形態の消火設備用管継手の断面図。
【図３】図２の接続前の断面図。
【図４】（ａ）はインジケーターの外観図。（ｂ）は（ａ）の矢印Ａ方向から見た外観図。
【図５】多口継手の外観図。
【図６】図２の牡継手の変形例の断面図。
【図７】従来の継手構造を示す外観図（一部断面）。
【図８】フレキシブル配管のスプリンクラーヘッド接続部の構造であり、（ａ）は牝ネジの奥に止水部材を設置した断面図。（ｂ）は牝ネジの内側に止水部材を設置した断面図。
【発明を実施するための最良の形態】
【００１９】
本発明の消火設備配管の接続構造を備えた多口継手Ｔとフレキシブル配管Ｆについて図１〜図６を参照して説明する。
【００２０】
図１に示すように、多口継手Ｔの側面に設置された接続口１０は金属製のフレキシブル配管Ｆと接続している。フレキシブル配管Ｆのもう一方の端にはスプリンクラーヘッドＳが接続されている。多口継手Ｔの上端は給水配管Ｐと接続されており、給水配管Ｐは図示しないポンプや水源等の給水装置と接続されている。
【００２１】
スプリンクラーヘッドＳは先端が天井板Ｃから室内側に露出して設置される。天井板Ｃは天井下地材５により支持されており、スプリンクラーヘッドＳも金具６により天井下地材５に固定設置される。給水配管Ｐやフレキシブル配管Ｆの周囲および天井下地材５の上方には、図示しないがダクトや配線、照明機器が設置されている。
【００２２】
図１ではフレキシブル配管Ｆは引き伸ばした状態となっているが、スプリンクラーヘッドＳを天井下地材５に固定設置する前の段階ではコイル状に巻かれている。フレキシブル配管Ｆは自在に屈曲可能な金属製の蛇腹管であるが、これに替えて樹脂管を用いることもできる。
【００２３】
図５に示す多口継手Ｔは、内部が空洞の管状であり、上端の接続口８は給水配管Ｐと接続され、多口継手Ｔの側面には接続口１０が２〜６箇所設置される。本実施形態では接続口１０は放射状に４箇所設置されている。本発明の牝継手２２は接続口１０に設置される。
【００２４】
図２および図３は多口継手Ｔとフレキシブル配管Ｆ（可撓管）との接続部分の拡大断面図である。多口継手Ｔの接続口１０の内部には牝ネジ１１が設置されている。接続口１０の牝ネジ１１よりも奥はシール面９となっており、後述するＯリング４２、４３がシール面に配置される。Ｏリング４２、４３が配置されるシール面９には段差４１が形成されている。図２、図３において、接続口１０の段差４１に対応する直管部２０の外周位置に段４４が形成されており、段４４の近傍のストレート部にＯリング４２、４３が設置されている。
【００２５】
多口継手Ｔの接続口１０の外周の先端には鍔部４６が形成されている。鍔部４６に隣接して環状の溝５１が設置されており、さらに溝５１に隣接して突起５２が設置されている（図５参照）。突起５２は環状をしており、その外径は後述するリング４８の内周径よりも大きく、リング４８を嵌めることができない。またリブ状の突起５３が多口継手Ｔの外周上に複数設置され、リブ状の突起５３が突起５２から隣の接続口１０の突起５２の間に設置されている。同様に接続口１０から多口継手Ｔの上端の接続口８に向かってリブ状の突起５３が設置されている。
【００２６】
フレキシブル配管Ｆの一端はスプリンクラーヘッドＳと接続され、他端は筒状の直管部２０と接続している。直管部２０の外側には牡ネジ２１を備えた牡継手２２が設置されている。牡継手２２は直管部２０を介してフレキシブル配管Ｆと接続しており、牡継手２２の内部に直管部２０が収容されている。
【００２７】
図２、図３の牡継手２２は中空状をしており、一端に牝ネジ１１と螺合可能な牡ネジ２１が螺刻されている。他端は把持部５０となっており、把持部５０の外周断面形状が六角や八角をしている。牡ネジ２１と把持部５０の間には鍔部４７が設置されており、牡ネジ２１と牝ネジ１１が螺合した状態で鍔部４７と接続口１０の端に設置された鍔部４６の端面が接触する。鍔部４７の外径は鍔部４６の外径と等しい。また、鍔部４７の外径は牡ネジ２１や把持部５０の外径よりも大きい。鍔部４７の牡ネジ２１側の端面は、鍔部４６との接触面となっている。
【００２８】
直管部２０は、Ｏリング４２、４３が設置された側の端が牡継手２２から突出して設置された突出部２Ａとなっており、反対側の端はフレキシブル配管Ｆと接続している。直管部２０とフレキシブル配管Ｆの接続部分３９は牡継手２２の内部に収容されており外力から保護されている
【００２９】
突出部２Ａには段４４が形成されており、段４４の近傍にサイズが異なるＯリング４２、４３が設置されている。段４４より先端側の外周径は牡ネジ２１の内側の直管部２０の外周径よりも小径となっている。図２、図３に示すようにＯリング４２に対してＯリング４３は太さ及び外径が小さいものが用いられている。サイズが異なるＯリング４２、４３を設置すると、Ｏリング４２、４３をシール面９に移動させるための移動量がＯリング１個分の移動量で済むので、牡ネジ１１と牝ネジ２１のネジ長さを短くすることができる。
【００３０】
図２に示すように牝ネジ１１と牡ネジ２１が接続された状態において、段差４１と段４４は係合した状態となる。給水配管Ｐのメンテナンス等により、配管内部に充填されている水を除去する場合に真空引きをすることがある。このとき段差４１と段４４が係合しているので直管部２０が負圧によって多口継手Ｔ側に移動することを防止できる。
【００３１】
フレキシブル配管Ｆは直管部２０と溶接によって接合している。また、牡継手２２の内周とフレキシブル配管Ｆの外周の間には隙間３８が形成されており、これがフレキシブル配管Ｆの可動域（屈曲範囲）を制限している。そのため、多口継手Ｔと牡継手２２を接続する前の段階や接続完了後の段階において、フレキシブル配管Ｆに過剰な捩じりや曲げ等の負荷が加わった場合でも可動域が制限されており接続部分３９の破損を防止している。
【００３２】
また、牡継手２２のフレキシブル配管Ｆが挿通された側の端は、フレキシブル配管Ｆの可動域を制限する当接面となっている。フレキシブル配管Ｆにおいて牡継手２２に収容されている部分の長さは、フレキシブル配管Ｆの外径に対して0.5〜3倍となっており、特に1〜2倍とすることが望ましい。これにより牡継手２２および直管部２０の長さを抑えつつ、フレキシブル配管Ｆの過度な曲げ過ぎを防止することができる。
【００３３】
直管部２０のフレキシブル配管Ｆと接続した側は外方に拡張したフランジ部２０ａとなっており、フランジ部２０ａは牡継手２２の内側に設置された段２２ａの端面と係合可能である。フランジ部２０ａの外周径は牡継手２２」フレキシブル配管Ｆが挿通された側の内周径よりも小さく、直管部２０は牡継手２２に対して空回り可能である。段２２ａは牡継手２２の牡ネジ２１側の端面まで形成されており、その内周径は牡継手２２のフレキシブル配管Ｆが挿通された側の内周径よりも小さい。さらに段２２ａの内周と直管部２０の外周の間には適度な隙間を有しており、牡継手２２または直管部２０のどちらか一方のみが中心軸まわりに回転可能に構成している。
【００３４】
図２に示すように、牡ネジ２１と牝ネジ１１が螺合した状態において、フランジ部２０ａと段２２ａの端面との間には隙間２３が設けられている。この隙間２３によって牡ネジ２１と牝ネジ１１が螺合した状態でも連結部２０のみが空回り可能となる。より具体的に説明すると、フランジ部２０ａと段２２ａが接触して隙間２３が無い状態だと、連結部２０が回転する際に接触した部分が抵抗となり連結部２０の回転を阻むおそれがあるが、隙間２３を設けることで連結部２０がスムーズに回転可能となる。
【００３５】
また直管部２０の中間部分の外周に刻設された環状溝の内部には止め輪２５が設置されており、止め輪２５が牡ネジ２１の先端に係止され、突出部２Ａが牡継手２２から露出するように直管部２０を係止している。これらの構造によって直管部２０が牡継手２２から抜けることを防止しているとともに、直管部２０に対して牡継手２２が空回り可能に構成している。また牡ネジ２１と牝ネジ１１が締結された後において、直管部２０が牡継手２２に対して空回り可能となっている。仮に止め輪２５が牡ネジ２１の先端と多口継手Ｔの段１９に挟まれて固定された状態でも、直管部２０は止め輪２５に対して空回りすることができる。
【００３６】
牡継手２２の牡ネジ２１の先端内周には斜面２２ｂが設けられている。斜面２２ｂは止め輪２５が接触する係止部となっており、牡ネジ２１と牝ネジ１１の接続後に配管内の流体圧力によって直管部２０がフレキシブル配管Ｆ側に押圧された際に、斜面２２ｂが止め輪２５を支持して直管部２０の中心軸側に押圧する作用を有している。
【００３７】
図２〜図４に示すインジケーター４５は、接続口１０の先端に形成された鍔部４６と牡継手２２の外周面に設置された鍔部４７を側面から囲むように取付けられている。インジケーター４５はＣ字形状をした一対のリング４８、４８の間に鍔部４６、４７の側面を押圧保持する複数の保持部４９が介在している。
【００３８】
リング４８、４８の間隔は、図２に示すように鍔部４６、４７の対向する端面どうしが接触した状態の厚さｔと略同じになっている。これにより作業者が牝ネジ１１と牡ネジ２１を螺合してからインジケーター４５を鍔部４６、４７に装着する際に、リング４８、４８の間に鍔部４６、４７が嵌らない場合はネジの締結が不十分であると認識できる。また鍔部４６に隣接した溝５１により、鍔部４６、４７の位置にインジケーター４５を装着すると、リング４８の先端４８ａは溝５１を通過して接続口１０の外周部との干渉が避けられる。
【００３９】
また保持部４９はリング４８の先端４８ａ、４８ａの間である欠如部から最も離れた位置に設置された保持部４９ａと、保持部４９ａと先端４８ａの間に設置された２つの保持部４９ｂが設置されている。保持部４９ｂは鍔部４６、４７の側面を挟むように対向して設置されている。図４（ａ）では３つの保持部（４９ａ、４９ｂ、４９ｂ）によって二点鎖線で示す鍔部４６、４７の側面を押圧保持している。保持部４９ｂの先端４８ａ側の端は、若干内側に湾曲しており、保持部４９の内側に挿通された鍔部４６、４７が外れることを阻止している。
【００４０】
インジケーター４５は下方から見えやすいように図８（ａ）のように保持部４９ａを下側にして鍔部４６、４７に装着される。これにより室内の高所に設置されたインジケーター４５を点検者が床面から目視にて認識しやすくなる。
【００４１】
インジケーター４５は鍔部４６、４７のみに接続可能に構成され、鍔部４６、４７の近傍にはインジケーター４５の非装着部が設置されている。より具体的に説明すると、リングの内周径よりも小径な把持部５０はインジケーター４５の非装着部となっている。把持部５０にインジケーター４５を装着させる場合、リング４８の内周径は鍔部４７に隣接された把持部５０の外径よりも大きいので保持部４９ａを下向きにするとインジケーター４５を把持部５０に装着することができない。保持部４９ａを上向きにして把持部５０の上に載置して設置できる可能性はあるが、少しの振動で脱落してしまい長期において安定した状態でインジケーター４５を把持部５０に設置することはできない。また先端４８ａが下向きに配置されるので点検者がインジケーターの向きが逆である事を認識しやすい。
【００４２】
あるいはインジケーター４５の２つある保持部４９ｂの一方を図４（ａ）に点線で示すように他方の保持部４９ｂよりも大きくして重量を増やすと、把持部５０に保持部４９ａを載置させたときに重い方の保持部４９ｂが下方に移動してインジケーター４５を把持部５０から脱落させ、インジケーター４５が保持部５０に装着できないように構成できる。
【００４３】
一方、接続口１０の外周部にインジケーター４５を装着させようとした場合、接続口１０の外周径はリング４８の内周径よりも大きく、インジケーター４５の非装着部となっており、無理に接続口１０の外周部にインジケーター４５を装着しようとすると、インジケーター４５が破損するので装着することができない。
【００４４】
図５に示す多口継手Ｔでは、接続口１０の外周部にインジケーター４５の装着を阻む突起５２が設置されている。突起５２は溝５１に隣接しており、突起５２の外径はリング４８の内周径よりも大きく、リング４８を嵌めることができない。またリブ状の突起５３もリング４８が溝５１以外の場所に取付できないように配置されている。
【００４５】
上記よりインジケーター４５は鍔部４６、４７の位置にしか装着できず、尚且つ鍔部４６、４７が接触した状態のときに装着できるので、インジケーター４５が装着されていることで牝ネジ１１と牡ネジ２１が締結状態にあることが離れた場所からでも容易に判断することができる。
【００４６】
続いて、上記のフレキシブル配管Ｆを多口継手Ｔに接続する手順を説明する。
【００４７】
室内の上部に設置された給水配管Ｐと接続された多口継手Ｔは側面に複数の接続口１０が設けられている。まず接続口１０の内部に、牡継手２２の突出部２Ａを挿通させると、突出部２Ａの先端が接続口１０側のシール面９の内側に挿通される。この段階で牡ネジ２１と牝ネジ１１は螺合していない。
【００４８】
続いて牡継手２２を回転させて牡ネジ２１と牝ネジ１１を螺合させる。すると突出部２Ａは少しずつ接続口１０の奥へ移動してＯリング４２、４３とシール面９が接触する。このとき、牡継手２２は直管部２０に対して空回りするので牡ネジ２１と牝ネジ１１の螺合の際に直管部２０は回転せず、Ｏリング４２、４３が螺合による回転で捻じれることを防止している。また、直管部２０の他端側に接続されているフレキシブル配管Ｆもネジの螺合による回転によって捻じれることが無い。
【００４９】
さらに牡継手２２を回転させると、直管部２０が接続口１０の奥に向かって移動してＯリング４２、４３がシール面９と接して潰れる。ネジの螺合による直管部２０の移動によってＯリング４２、４３が潰れるため作業者の負担が軽減される。
【００５０】
またＯリング４２、４３を接続口１０と直管部２０の各々に設置したことで、２つのＯリング４２、４３を潰すために必要な直管部２０の移動量がＯリング１個を潰す移動量で済み、それにより牝ネジ１１と牡ネジ２１のネジ長さが短く構成されている。ネジ長さが短いことで牡継手２２および接続口１０の長さが短縮でき、さらに軽量化できるメリットがある。
【００５１】
牡ネジ２１と牝ネジ１１は平行ネジなので、接続口１０の鍔部４６が牡継手２２の鍔部４７に接触するまで牡継手２２は回転可能である。牡ネジ２１と牝ネジ１１を締結させた後、インジケーター４５を取り付ける。インジケーター４５の一方のリング４８の先端４８ａ、４８ａを溝５１に挿通して、一対のリング４８の間に鍔部４６、４７を挟むように押し込むと、インジケーター４５の保持部４９が鍔部４６、４７の側面に係合される。
【００５２】
これにより多口継手Ｔとフレキシブル配管Ｆの接続は完了する。その後、フレキシブル配管Ｆの末端に接続されたスプリンクラーヘッドＳを天井下地材５に固定した後、天井Ｃが設置される。
【００５３】
フレキシブル配管Ｆを多口継手Ｔから取外す手順は、先にインジケーター４５を取外し、その後、牡継手２２を回転させてネジを緩める。最後に直管部２０を接続口１０から引き抜くことで作業が完了する。
【００５４】
次に、上記の実施形態における牡継手２２の変形例を図６（ａ）〜（ｃ）を参照して説明する。
【００５５】
図６（ａ）は、直管部２０をフレキシブル配管Ｆと一体に構成している。これにより牡継手２２の小型・軽量化が図れる。この変形例ではフランジ部２０ａの代わりにフレキシブル配管Ｆの蛇腹部Ｊを利用しており、蛇腹部Ｊの外径が段２２ａの内周径よりも大きいので蛇腹部Ｊの外周部が段２２ａの端面に係止可能な構造となっている。またＯリング４２、４３及び止め輪２５を設置するための環状溝が形成されている。さらに牡ネジ２１と牝ネジ２２を螺合したとき、蛇腹部Ｊと段２２ａの端面との間には前述の隙間２３を有する。
【００５６】
図６（ｂ）は、上記の（ａ）と同様に直管部２０とフレキシブル配管Ｆを一体に構成しているが、蛇腹部Ｊは牡継手２２の外部に設置されており、牡継手２０に収容された箇所のフレキシブル配管Ｆはストレート形状になっている。この変形例では段２２ａが除かれており牡継手２２の把持部５０の外周寸法を小さくすることができる。また、蛇腹部Ｊと牡継手２２の端面との間には前述の隙間２３が設置されている。
【００５７】
図６（ｃ）は、先に説明した直管部２０のフランジ部２０ａと段２２ａを除いており、代わりに牡継手２２の外部のフレキシブル配管Ｆの蛇腹部Ｊにストッパー６０を設置して構成している。ストッパー６０は樹脂等の弾性変形可能な材質から構成される。ストッパー６０はＣ字形状をしており、蛇腹部Ｊの凹部にストッパー６０の内縁を係止させて設置している。ストッパー６０の外径は牡継手２２の内周径よりも大きく、牡継手２２の端面にストッパー６０が係止可能となっている。また、ストッパーと牡継手２２の端面との間には前述の隙間２３が設置されている。
【００５８】
上記において、多口継手Ｔとフレキシブル配管Ｆとの接続構造を実施形態として説明したが、これに限らず消火設備配管の他の接続部に適用することができる。例えば多口継手Ｔに換えてエルボやチー等の継手に適用することができる。また、エルボ継手の一方の接続口をテーパーネジとし、他方の接続口を上記に説明した接続口１０（牝）と同様な構成にすることや、３つの接続口を有するチー継手のうち１箇所または２箇所をテーパーネジとし、残りの接続口を接続口１０と同様な構成にすることができる。
【００５９】
前述の実施形態や変形例において、フレキシブル管ＦのスプリンクラーヘッドＳが接続される側の端にはスプリンクラーヘッドの接続口が設けられている。図８（ａ）に示す接続口６０は、スプリンクラーヘッドＳの牡ネジ６１（管用テーパーネジ）と螺合可能な牝ネジ６２が設置されている。牝ネジ６１の奥には止水部材が設置されており、牡ネジ６１の端面６７と接触されるリング状の止水部材６３が設置されている。止水部材６３は牝ネジ６１の奥の環状溝６４に埋め込まれており、その内径はスプリンクラーヘッドＳのノズル６５の最小径よりも大径となっている。
【００６０】
止水部材６３の高さは環状溝６４の高さと略同じである。止水部材６３において牝ネジ６２と隣接する下面と反対にある上面側は、段部６６となっており、止水部材６３が図中上方へ移動できないように構成されている。段部６６は環状をしており、その内径は止水部材６３の内径と略同じである。
【００６１】
止水部材６３はスプリンクラーヘッドＳの牡ネジ６１を牝ネジ６２にねじ込んだ際に、牡ネジ６２の端面６７と止水部材６３の下面が接触する。さらに牡ネジ６１をねじ込むと牡ネジ６１の端面６７は止水部材６３に食い込み止水性が増す。
【００６２】
一方、図８（ｂ）の接続口７０は、牝ネジ６２の内側に筒部７１が設けられている。筒部７１の上端側はフレキシブル配管Ｆと接続されており、下端側の外周径は牡ネジ６１の内側に設けた空間７２内径よりも僅かに小径となっている。筒部７１の外周面にはリング状の止水部材７３が複数設置されており、牡ネジ６１を牝ネジ６２へねじ込むと筒部７１が空間７２に挿通される。このとき止水部材７３により、筒部７１と空間７１の内周面との隙間は止水部材７３により密閉される。
【００６３】
上記のようにフレキシブル配管ＦのスプリンクラーヘッドＳと接続される側において、スプリンクラーヘッドが接続される牝ネジ６２の奥側に止水部材６３（、７３）を設置したことで、スプリンクラーヘッドＳの牡ネジ６１にシールテープを巻く作業やシール材を塗布する作業を省くことができる。さらにスプリンクラーヘッドＳをフレキシブル配管Ｆの牝ネジ６２にねじ込む際に、従来用いられていたレンチ等の工具を使用せず、手締めでねじ込んだ場合にも十分な止水性能が得られる。これにより作業時間・工程の削減や作業者の負担を軽減可能である。
【符号の説明】
【００６４】
Ｆ  フレキシブル配管  
Ｔ  多口継手  
９  シール面  
１０  接続口  
１１  牝ネジ  
２０  直管部  
２Ａ  突出部  
２１  牡ネジ  
２２  牡継手  
４１  段差  
４２、４３  Ｏリング（止水部材）
４４  段  
４５  インジケーター  
４６、４７  鍔部  
４８  リング  
４９  保持部  
５０  把持部  
５１  溝  
【図１】
2018183578.tif 000003
【図２】
2018183578.tif 000004
【図３】
2018183578.tif 000005
【図４】
2018183578.tif 000006
【図５】
2018183578.tif 000007
【図６】
2018183578.tif 000008
【図７】
2018183578.tif 000009
【図８】
2018183578.tif 000010